(57)【特許請求の範囲】
【請求項１】
脚部と、
前記脚部の上端に、回動可能な座席を有する座部が固定され、該座部の下面には、固定手段によって、背凭れ兼胸あてを適当箇所に支持する支持部を固定し、
前記支持部は、金属製管体を数か所、折曲して形成し、基台の一辺長より短い固定腕部と、該固定腕部と連設し、前記固定腕部に対して水平方向に略直角に折曲され、前記基台の一側辺に沿って延びる水平腕部と、該水平腕部と連設し、前記座部の前部側方で垂直に折曲され、上方に立ち上がる立上腕部と、該立上腕部と連接し、胸部に向けて斜行する傾斜腕部と、該傾斜腕部から水平状に折曲された胸あて支持腕部とを備え、取付体によって、前記固定腕部を前記基台の下面の一辺側寄りに固定してなり、
前記胸あては、前記胸あての幅を前記胸部の幅より幅狭に形成されてなることを特徴とする背凭れ兼胸部支持体付き椅子。
【請求項２】
前記胸あての両側部に、前記胸部の隆起との接触を回避するために、内方に向けて湾曲する湾曲面を設けたことを特徴とする請求項１に記載の背凭れ兼胸部支持体付き椅子。
【発明の詳細な説明】
【０００１】
【発明が属する技術分野】
本発明は、着座して作業を行う場合等の前傾姿勢を支持する胸部支持体付き椅子、詳しくは、座席を回転させて後方に姿勢を向けることにより、胸部支持体の胸当て部を背凭れ部として使用できる胸部支持体付き椅子に関する。
【０００２】
【従来の技術】
従来、椅子に着座して作業を行う場合の腰部の負担を軽減するために、前傾姿勢を支持することができる胸部支持体を設けた椅子は知られており、この胸部支持体付き椅子としては、例えば、実開平６−４６５５６号公報に記載され、かつ図１０および図１１に示すものが知られている。
【０００３】
図１０は、従来の胸部支持体付き椅子の正面図であり、図１１は、図１０に示す胸部支持体付き椅子の使用状態の側面図である。図１０および図１１において、椅子１は、キャスター２ａを有する脚部２の上方に座席３が回転可能、かつ高さ調節可能に取付けられている。脚部２の上方、かつ座席３の下方には、Ｌ字状の支持体４の一端が支持され、他端は座席３の前部側方に位置するように配置されている。該支持体４は、座席３と一体的に回転するように支持されており、支持体４の上端には上下方向にスライド可能に取付管５が内嵌されており、固定ねじ６により任意の高さに固定される。
【０００４】
胸あて７は、金属製または木製の取付板の表面がウレタン樹脂等の緩衝材で覆われ、略正方形状に形成された座席の一辺と略同長の長辺を有する略長方形状に形成されており、取付管５の側面部に水平軸に対して回動可能に取付けられている。さらに、取付管５は、胸あて７とともに支持体４の周囲を所定の角度回動するように構成されており、一方の端部においては座席３の前部と略平行状態となり、他方の端部においては前部と略直交する位置またはこれを越える位置まで回動する。
【０００５】
【発明が解決しようとする課題】
しかしながら、前記した従来の胸部支持体付き椅子１では、胸あて７は、座席の一辺と略同長の長辺を有する略長方形状からなる一方、この胸あて７は、座席の前部側方から略垂直に立ち上がる取付管５の側面部であって、着座した場合の胸部の高さに相当する部分に、水平状に取付けられているので、該取付け部分は、使用者のほぼ腋下又はその近辺に位置することとなり、前記胸あて７および取付管５が、使用者の作業時における上肢の運動を阻害する場合が生じる。すなわち、胸あて７および取付管５の一部が、作業時に主に使用する肩関節における上腕の運動領域または肘関節における前腕の運動領域(図１０および図１１において、破線で囲んだ領域Ａ）内に位置しているため、作業中に、使用者の上肢が胸あて７および取付管５の一部分に接触し、作業に支障をきたすという問題が生じる。
【０００６】
また、前記胸あて７は、略長方形状の平板な板体からなるので、使用者の胸部と接触した場合に、胸部の隆起部（特に女性の乳房）が圧迫され、長時間の連続作業が行いがたいという問題が生じる。
【０００７】
本発明は、かかる事情に鑑みてなされたものであり、脚部と、該脚部の上方に回動可能に支持された座席と、前傾姿勢を胸部において支持する胸あてと該胸あてを支持する支持部とを有する胸部支持体とを備える胸部支持体付き椅子において、前記胸あてを、前記胸部の幅より幅狭に形成するとともに、前記支持部に、前記座席の前部一側方から胸部に向かい延びる支持腕部を設けることによって、作業時に必要な上肢の運動領域外に前記胸あてと前記支持部を配置させることとして、作業中に、使用者の上肢が前記胸あておよび前記支持部に可及的に接触しないようになし、使用者の作業の能率を高めることのできる胸部支持体付き椅子を提供することを目的とする。
【０００８】
また、本発明の他の目的は、前傾姿勢を胸部において支持する胸あてと該胸あてを支持する支持部とを有する胸部支持体とを備える胸部支持体付き椅子に使用する胸あてにおいて、前記胸あての幅を前記胸部の幅より幅狭に形成し、前記胸あての両側部に前記胸部の隆起との接触を回避するための隆起逃がし部を設けることにより、胸あてが使用者の胸部と接触した場合に、胸部の隆起部（特に女性の乳房）の圧迫が解消または減少され、長時間にわたり、楽に作業を行うことができる胸部支持体付き椅子に使用する胸あてを提供することを目的とする。
【０００９】
【課題を解決するための手段】
請求項１に記載の背凭れ兼胸部支持体付き椅子は、脚部と、前記脚部の上端に、回動可能な座席を有する座部が固定され、該座部の下面には、固定手段によって、背凭れ兼胸あてを適当箇所に支持する支持部を固定し、前記支持部は、金属製管体を数か所、折曲して形成し、前記基台の一辺長より短い固定腕部と、該固定腕部と連設し、前記固定腕部に対して水平方向に略直角に折曲され、前記基台の一側辺に沿って延びる水平腕部と、該水平腕部と連設し、前記座部の前部側方で垂直に折曲され、上方に立ち上がる立上腕部と、該立上腕部と連接し、胸部に向けて斜行する傾斜腕部と、該傾斜腕部から水平状に折曲された胸あて支持腕部とを備え、取付体によって、前記固定腕部を前記基台の下面の一辺側寄りに固定してなり、前記胸あては、前記胸あての幅を前記胸部の幅より幅狭に形成されてなることを特徴とする。
【００１０】
請求項１に記載の発明にあっては、作業時に必要な上肢の運動領域外に前記胸あてと前記支持部を配置させることとして、作業中に、使用者の上肢が前記胸あておよび前記支持部に可及的に接触しないようになし、使用者の作業の能率を高めることができる。
【００１１】
削除
【００１２】
削除
【００１３】
請求項２に記載の背凭れ兼胸部支持体付き椅子は、請求項１に記載の背凭れ兼胸部支持体付き椅子において、前記胸あての両側部に、前記胸部の隆起との接触を回避するために、内方に向けて湾曲する湾曲面を設けたことを特徴とする。
【００１４】
請求項２に記載の発明にあっては、胸あてが使用者の胸部と接触した場合に、胸部の隆起部（特に女性の乳房）の圧迫が解消または減少され、長時間にわたり、楽に作業を行うことができると共に簡単に前記胸あてを製造することができる。
【００１５】
削除
【００１６】
削除
【００１７】
削除
【００１８】
削除
【００１９】
【発明の実施の形態】
以下、本発明の実施の一形態を図面に基づいて具体的に説明する。図１は、本発明に係る胸部支持体付き椅子１０の正面図、図２は背面図、図３は右側面図である。
【００２０】
図１乃至図３において、胸部支持体付き椅子１０の脚部２０の上端に、回動可能な座席３１を有する座部３０が固定され、該座部３０の下面には、固定手段４０によって、胸あて５１を適当箇所に支持する支持部５２を固定している。
【００２１】
前記脚部２０の下部には、平面視略十字形状に４本の支持脚２２を張り出し、各支持脚２２，…の端部には、それぞれ旋回キャスタ２１，…を取り付けて、胸部支持体付き椅子１０を移動自在となしている。各支持脚２２，…の交差部には円筒状の支持柱２３を上方に向けて垂設しており、この支持柱２３には、支持柱２３とは別体で、かつ支持柱２３の内径に摺動可能な外径を有する移動柱２４を収納している。該移動柱２４の上部には円筒形状の取付体２５を固着しており、該取付体２５は、前記座部３０の下面に、ねじ止め又は溶接等の手段によって固着されている。したがって、前記移動柱２４の前記支持柱２３に対する軸方向(図１乃至図３における上下方向)移動および前記支持柱２３に設けた固定ねじ２６による前記移動柱２４の前記支持柱２３に対する押圧固定とに依って前記座部３０の高さ調整を可能としている。
【００２２】
前記座部３０は、金属板等によって方形状に形成されている基台３２と、該基台３２の上部に回動可能に取り付けられ、前記基台３２より一回り大きな方形状の座席３１とにより構成されており、該座席３１の上面はクッション材で被覆されている。前記基台３２の下面には、後述する胸あて５１を適宜位置に支持する支持部５２が、後述する固定手段によって固定されている。
【００２３】
前記支持部５２は、金属製管体を数か所、折曲して形成したものであり、前記基台３２の一辺長より短い固定腕部５２ａと、該固定腕部５２ａと連設し、前記固定腕部５２ａに対して水平方向に略直角に折曲され、前記基台３２の一側辺に沿って延びる水平腕部５２ｂと、該水平腕部５２ｂと連設し、前記座部３０の前部側方で垂直に折曲され、上方に立ち上がる立上腕部５２ｃと、該立上腕部５２ｃと連接し、胸部に向けて斜行する傾斜腕部５２ｄと、該傾斜腕部５２ｄから水平状に折曲された胸あて支持腕部５２ｅとを備える。
【００２４】
前記立上腕部５２ｃは、概ね前記座席３１の前部一側方から、上方に向けて立ち上がっており、使用者が着座した場合の太股の高さ分よりも若干高い高さ、具体的には、概ね、前記座席３１の上面から１００ミリ乃至１５０ミリ程度の高さを備えるように形成され、そこから、胸部中央に向けて斜行する前記斜行腕部５２ｄが連接されているのである。
【００２５】
本実施の形態においては、前記座席３１の前部一側方から胸部中央に向けて延びる支持腕部を、胸部中央に向けて斜行する前記斜行腕部５２ｄとして形成したが、前記支持腕部としては、胸部中央に向けて湾曲して延びる湾曲腕部（図示せず）としてもよく、また、前記立上腕部５２ｃの上端から、一旦横方向に延びたのちに胸部中央に向けて延びる支持腕部（図示せず）として形成してもよい。要するに、前記支持腕部は、作業時に主に使用する肩関節における上腕の運動領域または肘関節における前腕の運動領域(概ね、図１０および図１１において、破線で囲んだ領域Ａ）外に配置するように、形成されればよいのである。
【００２６】
なお、本実施形態では、金属製管体を折曲して前記支持部５２を形成したが、前記各腕部（５２ａ〜５２ｅ）の全部または一部を別部材として溶接等によって繋いで支持部５２を形成してもよい。また、支持部５２は、管体でなく例えば板体により形成してもよい。さらに、支持部５２は合成樹脂により成形してもよく、材料は限定されない。
【００２７】
図４は、前記支持部５２の固定構造を示す要部斜視図である。図１乃至図４において、一端に鍔部４３を有する円筒形状の受入部４１を、取付体４２、４２によって、前記基台３２の下面の一辺側寄りに溶接等により固定すると共に、前記受入部４１を前記取付体４２，４２に回動不能に固定する。前記鍔部４３には、ボルト孔４４，…が上方位置に３カ所、これと対向する下方位置に３カ所の計６カ所設けられている。一方、前記支持体５２の前記固定腕部５２ａは、前記受入部４１内に摺動可能な外径を備え、前記固定腕部５２ａの端部から所定長さ(前記受入部４１に収納される長さ分)隔てた位置に鍔部５３を設ける。該鍔部５３には、ボルト孔５４，５４が対向する所定位置に２カ所貫通されており、該ボルト孔５４，５４にボルト４５，４５を挿入し、もう一方の鍔部４３のボルト孔４４，４４を貫通させ、ナット４６，４６によって締め付けて、前記支持部５２を前記受入部４１に固定するのである。このとき、一方の鍔部４３には対向する位置に３カ所づつボルト孔が貫通されているので、ボルト４５を貫通させるボルト孔４４を選択することにより、前記支持部５２が固定される角度を調整することができる。この角度調整により、前記胸あて５１は、図３における左右方向に位置調整がなされる。
【００２８】
前記胸あて５１は、正面形状を略鼓状となし、両側面を湾曲状に抉ることにより、乳房等の胸の隆起との接触を可及的に回避できる隆起逃がし部５１ｃを形成する。そして、金属製の板材によって、略鼓状に形成された裏板５１ａの上面にクッション材（図示せず）を配し、布材等で被覆して表面５１ｂを形成する。
【００２９】
図５は、前記胸あて５１と人体の骨格との位置関係を示す概略図である。図５に示す人体の骨格は、平均的な成人の骨格である。図中、胸郭７０は、前方に胸骨７１、後方に胸椎７２（１２個）、その間は肋骨７３（１２対）で結ばれる、籠状になった胸部の骨格であり、そのうち胸骨７１は、胸骨柄７１ａ、胸骨体７１ｂおよび剣状突起７１ｃの3部分に区別される。
【００３０】
前記胸あて５１の大きさは、図５の仮想線に示すように、概ね、横幅（Ｗ）を前記胸骨体７１ｂの横幅の２〜３倍程度の大きさとし、高さ（Ｈ）を前記胸骨体７１ｂの長さと同程度の大きさに形成する。より具体的には、前記胸あて５１の大きさは、例えば、横幅（Ｗ）１５０ミリ乃至２００ミリ、高さ（Ｈ）２００ミリ乃至２５０ミリ程度の大きさとして、前記胸郭７０の幅および高さに収まる大きさに形成する。そして、前記胸あて５１の支持位置は、図５の仮想線で示すように、前記胸あて５１の幅方向（図５における左右方向）中心は、人体の正中線上に配置するとともに、高さ方向（図５における上下方向）は、前記胸あて５１が前記胸骨７１（なかでも主として、胸骨体７１ｂ）を支持できる高さ位置に配置して、人体の胸部を支持するのである。
【００３１】
図６は、前記胸あて５１の支持構造を示す分解斜視図であり、図７は、前記胸あて５１を支持した状態を示す要部断面図である。図６および図７を用いて、前記胸あて５１の支持構造を説明する。
【００３２】
前記胸あて５１の裏板５１ａの裏面には、幅方向中央部分に、上下方向に長いラック板６１を固定する。該ラック板６１の表面には、幅方向にｖ字状の条溝を複数設けており、また、該ラック板６１の両側には、長手方向に長孔を開設した側板６２，６２を立設している。一方、前記支持部５２の胸あて支持腕部５２ｅの周面には、取付基部６４を固定し、該取付基部６４に、ボルト孔６６を貫通した方形状の支持板６５を２枚、ボルト孔６６，６６が対向するように、所定間隔をあけて取り付ける。さらに、前記取付基部６４の前記支持板６５，６５間には、前記支持板６５より前方に突出する突出板６７を取り付ける。該突出板６７は、可撓性を有する金属製又は合成樹脂製の板材によって形成し、その先端はｖ字状に形成される。
【００３３】
そして、前記胸あて５１を適当な高さ位置まで持ち上げ、その高さ位置で、前記突出板６７の先端と前記ラック板６１の溝とを噛合わせて、蝶型ボルト６８を、前記長孔６３および前記ボルト孔６６に貫通させ、ナット６９にて締結するのである。図７に示すように、前記胸あて５１を支持した状態では、前記突出板６７の先端が前記ラック板６１の溝に噛合い、かつ前記ボルト６８と前記ナット６９で、前記側板６２，６２と前記支持板６５，６５と、前記突出板６７の両側面における前記支持板６５，６５との接触面とを挟圧しているので、所望の高さ位置にて支持できるのである。そして、この状態から、前記ボルト６８を少し緩めると、前記支持板６５の前記突出板６７に対する締め込みが少し緩み、前記突出板６７は可撓性を有しているため、前記胸あて５１は、前記ボルト６８を支軸として、図３において矢示した方向に、揺動可能となる。なお、この揺動の範囲は、前記側板６２の先端と前記取付基部６４との隙間Ｓが許容する範囲において可能である。したがって、該隙間Ｓを大きくすれば、その分、揺動の範囲は大きくなる。
【００３４】
そして、さらに、前記ボルト６８を緩めると、前記支持板６５の前記突出板６７に対する締め込みは、ほぼなくなり、前記突出板６７は自由に撓むことができる。したがって、前記ボルト６８を完全に緩めた状態では、前記ボルト６８を前記長孔６３に挿入した状態で、前記胸あて５１の上下方向移動が可能となる。
【００３５】
以上のように構成された胸部支持体付き椅子１０を使用する場合について、図８および図９を用いて説明する。図８は、使用状態を示す側面図であり、図９は、胸あて５１を背凭れとして使用した状態を示す側面図である。
【００３６】
前記胸部支持体付き椅子１０を使用する場合は、先ず、使用者は、固定ねじ２６を緩めて、座席３１の高さを所望の位置に合わせたうえで、前記固定ねじ２６を締めて座席の高さを調節する。次に、支持部５２の角度を所望の角度とするため、鍔部４３に上下各３カ所設けられたボルト孔４４，…のうち、適宜のボルト孔を選択し、ボルト４５とナット４６の締め込みにより、支持部５２を所望の角度に固定する。そして、胸部支持体付き椅子１０の側方から着座する（図８に示す側面図に於いては、後方向きに着座する)。このとき、座席３１は、基台３２に対して回動自在に取り付けられているので、前記着座状態で胸あて５１がある方向に約９０度回転する(図８に示す側面図では、後方に向いて着座した状態から右周りに約９０度回転する）と、胸部支持体５０は基台３２に固定されているので座席とともに回動することはなく、胸部支持体５０の胸あて５１が使用者の前面に位置する。
【００３７】
そして、蝶ボルト６８を緩めて、胸あて５１が使用者の胸骨体７１ｂ近辺の高さとなるように、胸あて５１を上下方向に移動させて、所望の高さ位置で蝶ボルト６８を締め込み、胸あて５１を支持部５２に固定するのである。そして、使用者が、事務作業や製造工程の流作業を行う場合等には、使用者の胸部を胸あて５１で支持し、良好な姿勢を維持して前記のような各種の作業を行うことができる
とともに、前記胸あて５１の大きさを、前記胸郭７０の幅および高さに収まる大きさに形成するとともに、前記支持腕部（前記傾斜腕部５２ｄ）を、作業時に主に使用する肩関節における上腕の運動領域または肘関節における前腕の運動領域(概ね、図１０および図１１において、破線で囲んだ領域Ａ）外に位置するように形成したので、作業中に使用者の上肢が前記胸あておよび前記支持部に接触することがない（又は、著しく少ない）のである。
【００３８】
つぎに、前記胸部支持体付き椅子１０の胸あて５１を、背凭れとして使用する場合、すなわち、前記胸部支持体付き椅子１０を通常の椅子として使用する場合は、図８における着座位置から、着座した状態で、座席３１を１８０度回転させる。このとき、胸部支持体５０は基台３２に固定されているので座席とともに回動することはなく、胸部支持体５０の胸あて５１が使用者の後方に位置することとなる。そして、胸あて５１の上部両端が、図５に示すように、ちょうど、肩甲骨間に位置するので、使用者の背中を好適に支持できるのである。
【００３９】
本実施の形態では、前記支持部５２は前記座席３１の下面に固定したが、前記脚部２０の上部に固定してもよい。この場合は、前記座部３０を座席３１と基台３２とで構成しなくてもよく、座席３１は、脚部２０上端の取付体２５に回動自在に取付けるとよい。
【００４０】
【発明の効果】
請求項１に記載の背凭れ兼胸部支持体付き椅子は、脚部と、前記脚部の上端に、回動可能な座席を有する座部が固定され、該座部の下面には、固定手段によって、背凭れ兼胸あてを適当箇所に支持する支持部を固定し、前記支持部は、金属製管体を数か所、折曲して形成し、前記基台の一辺長より短い固定腕部と、該固定腕部と連設し、前記固定腕部に対して水平方向に略直角に折曲され、前記基台の一側辺に沿って延びる水平腕部と、該水平腕部と連設し、前記座部の前部側方で垂直に折曲され、上方に立ち上がる立上腕部と、該立上腕部と連接し、胸部に向けて斜行する傾斜腕部と、該傾斜腕部から水平状に折曲された胸あて支持腕部とを備え、取付体によって、前記固定腕部を前記基台の下面の一辺側寄りに固定してなり、前記胸あては、前記胸あての幅を前記胸部の幅より幅狭に形成されてなるので、請求項１に記載の発明にあっては、作業時に必要な上肢の運動領域外に前記胸あてと前記支持部を配置させることとして、作業中に、使用者の上肢が前記胸あておよび前記支持部に可及的に接触しないようになし、使用者の作業の能率を高めることができる。
【００４１】
請求項２に記載の背凭れ兼胸部支持体付き椅子は、請求項１に記載の背凭れ兼胸部支持体付き椅子において、前記胸あての両側部に、前記胸部の隆起との接触を回避するために、内方に向けて湾曲する湾曲面を設けたことを特徴とするので、請求項２に記載の発明にあっては、胸あてが使用者の胸部と接触した場合に、胸部の隆起部（特に女性の乳房）の圧迫が解消または減少され、長時間にわたり、楽に作業を行うことができると共に簡単に前記胸あてを製造することができる。
【００４２】
削除
【００４３】
削除
【００４４】
削除
【図面の簡単な説明】
【図１】本発明に係る胸部支持体付き椅子１０の正面図である。
【図２】本発明に係る胸部支持体付き椅子１０の背面図である。
【図３】本発明に係る胸部支持体付き椅子１０の右側面図である。
【図４】前記支持部５２の固定構造を示す要部斜視図である。
【図５】前記胸あて５１と人体の骨格との位置関係を示す概略図である。
【図６】前記胸あて５１の支持構造を示す分解斜視図である。
【図７】前記胸あて５１を支持した状態を示す要部断面図である。
【図８】本発明に係る胸部支持体付き椅子１０の使用状態を示す側面図である。
【図９】胸あて５１を背凭れとして使用した状態を示す側面図である。
【図１０】従来の胸部支持体付き椅子の正面図である。
【図１１】図１０に示す胸部支持体付き椅子の使用状態の側面図である。
【符号の説明】
２０    脚部
３１    座席
５１    胸あて
５２    支持部
５０    胸部支持体
５２ｄ  支持腕部（斜行腕部）
【図１】
0003671031.tif 000002
【図２】
0003671031.tif 000003
【図３】
0003671031.tif 000004
【図４】
0003671031.tif 000005
【図５】
0003671031.tif 000006
【図６】
0003671031.tif 000007
【図７】
0003671031.tif 000008
【図８】
0003671031.tif 000009
【図９】
0003671031.tif 000010
【図１０】
0003671031.tif 000011
【図１１】
0003671031.tif 000012